(57)【要約】本発明は、車両駐車を開始及び終了するために携帯電話を使用することができ、駐車期間を開始するとき及び終了するとき、使用者が携帯電話システム又は固定電話システムを介して少なくとも１つの使用者特有のコードを駐車システムに属する受信側コンピュータ３に送り、駐車期間の開始時に、当該パーキング・ゾーンの識別が前記駐車システムに送られ、そのシステム中の前記コンピュータ３内に車両特有のコードが記憶され、前記コードは前記使用者特有のコードに関連付けられ、当該ゾーンで駐車期間を開始したが、まだ終了していない車両、つまり前記システムにまだログインされている車両の識別に関する情報を取り出すために前記コンピュータと無線通信を行うために管理ユニットが使用される、駐車車両を管理する方法に関する。本発明は、前記管理ユニットが携帯電話１を備え、携帯電話１が、前記コンピュータ３に接続された受信電話装置２に前記駐車場係員からの車両登録番号を含む音声メッセージを送り、前記コンピュータ３が、この登録番号をログインされた車両の前記登録番号と比較し、前記コンピュータ３が、携帯電話１に音声メッセージを送るようにされ、その音声メッセージの中でコンピュータ３が理解した前記登録番号を携帯電話１が繰り返し、その音声メッセージが、前記車両がログインされているか否かに関する情報を含むことを特徴とする。
2005516316.tif 000002
【特許請求の範囲】
【請求項１】
車両駐車を開始及び終了するために携帯電話を使用することができ、駐車期間を開始するとき及び終了するとき、使用者が携帯電話システム又は固定電話システムを介して少なくとも１つの使用者特有のコードを駐車システムに属する受信側コンピュータ（３）に送り、駐車期間の開始時に、当該パーキング・ゾーンの識別が前記駐車システムに送られ、前記システム中の前記コンピュータ（３）内に車両特有のコードが記憶され、前記コードは前記使用者特有のコードに関連付けられ、当該ゾーンで駐車期間を開始したが、まだ終了していない車両、つまり前記駐車システムにログインされている車両の識別に関する情報を取り出すために前記コンピュータと無線通信を行うように管理ユニットが設けられている、駐車車両を管理する方法であって、前記管理ユニットが、前記コンピュータ（３）に接続された受信電話装置（２）に前記係員からの車両登録番号を含む音声メッセージを送る携帯電話（１）を備え、前記コンピュータ（３）が、この登録番号をログインされた車両の前記登録番号と比較し、前記コンピュータ（３）が、前記携帯電話（１）に音声メッセージを送るようにされ、その音声メッセージの中でコンピュータ（３）が理解した前記登録番号を前記携帯電話（１）が繰り返し、そのメッセージが、前記車両がログインされているか否かに関する情報を含むことを特徴とする、駐車車両を管理する方法。
【請求項２】
前記コンピュータ（３）が、前記車両がログインしている駐車ゾーンを同様に前記音声メッセージを介して前記駐車場係員に通知するように構成されていることを特徴とする請求項１に記載の方法。
【請求項３】
車両が、与えられた所定の長さの時間が経過するまでは、関連の駐車ゾーンにおいて不正駐車とみなされない場合には、コンピュータ（３）は、前記車両の前記登録番号を、前記駐車場係員が前記登録番号を報告した時刻と共に記憶するようにされ、後刻、前記車両がなお駐車している場合には、前記駐車場係員は再度前記登録番号を報告し、コンピュータ（３）は音声メッセージで前記車両がログインされているか否かを報告することを特徴とする請求項２に記載の方法。
【請求項４】
前記受信電話装置（２）が、前記駐車場係員が前記携帯電話（１）に話した前記車両登録番号を解釈するように機能する音声解釈装置を含むことを特徴とする請求項１、２又は３に記載の方法。
【請求項５】
各駐車場係員の前記携帯電話（１）が、一義的な電話番号を有しており、この番号が前記電話装置によって検知され、前記駐車場係員によって送られたメッセージと共に前記コンピュータ（３）に記憶されることを特徴とする請求項１、２、３又は４に記載の方法。
【請求項６】
前記音声解釈装置が、各駐車場係員の前記音声を認知し識別できることを特徴とする、請求項１、２、３、４又は５に記載の方法。
【請求項７】
前記コンピュータが、前記駐車場係員に、前記携帯電話を介して、車両がログインされていないことを通知した場合に、前記係員は、前記携帯電話のキーパッドを介する適切な入力により、又は、適切な音声メッセージにより、前記コンピュータに確認メッセージを送ることができることを特徴とする、前記請求項のいずれか一項に記載の方法。
【発明の詳細な説明】
【技術分野】
【０００１】
本発明は、駐車車両、主に自動車を管理する方法に関する。より詳しくは、本発明は、車両の駐車を開始及び終了するために携帯電話を使用し得る駐車システムに関する。
【背景技術】
【０００２】
市街地では、１社又は複数の駐車場会社が、市街地の様々の場所にくまなく配置されたパーキング・メータ、つまり、いわゆる支払用メータを設けることになろう。この点に関して、街路及び大きな駐車場が、最も一般的な場所である。
【０００３】
近年、様々な銀行カード又はキャッシュ・カードを使用して駐車料金を支払うことが、硬貨での支払いの補足としてますます一般的になってきた。キャッシュ・カードを使う場合、車両を駐車する人は、カードをパーキング・メータのカード読取り機に通す。
【０００４】
次いで、パーキング・メータが、駐車券を発行し、駐車券はそれが見えるフロント・ガラスの内側に配置される。車両を取り出すとき、当事者は、支払用メータに戻り、キャッシュ・カードを再度メータのカード読取り機に通さなければならない。次いで、支払用メータは、駐車費用を計算し、その費用を請求されるカードの番号と一緒に記憶する。
【０００５】
このような駐車施設で、携帯電話を用いて、車両の駐車を開始しまた終了することができるシステムが、当技術分野で公知である。
【０００６】
スウェーデン第９８００８８８−１号特許明細書は、携帯電話を使用した簡単な車両駐車システムを教示している。この特許によれば、使用者が所有し、駐車システムが支払手段として受理したキャッシュ・カード又はクレジット・カードのデータ及び少なくとも使用者特有の参照が、当該駐車場会社に属するデータベース内に記憶され、関連付けられる。
【０００７】
使用者特有の参照は、当該車両を駐車するときに使用される電話の番号である。この電話番号は、この電話が駐車システムに属する電話番号に接続されたときに駐車システムのコンピュータによって検出される。
【０００８】
車両特有の参照は、その車両の登録番号である。この登録番号は、駐車システムのコンピュータ内で電話番号と、たいていキャッシュ・カードの番号とも関連付けられる。
【０００９】
駐車場係員が、車両の登録番号を読み取ることにより、車両の駐車期間の開始が駐車システムに報告されているか否か確認することができる。
【００１０】
前記特許によれば、駐車場係員は、駐車場会社のコンピュータと無線接続された携帯用通信ユニットを携えており、そのコンピュータには、駐車が開始され、まだ終わっていない車両に関するデータが記憶されている。この通信ユニットは、例えばスウェーデン第９７０００５４−１号特許明細書に記載された管理ユニットに従って構成することができる。駐車場係員は、当該駐車ゾーンを管理ユニットに入力し、この管理ユニットは、当該駐車ゾーンに関連するいわゆる駐車車両リスト、つまり、駐車期間の開始が報告されている車両の登録番号のリストをコンピュータから取り出す。次いで、管理ユニットは、読み出された登録番号と駐車車両のリストを比較し、駐車期間の開始が報告されていないときには表示する。
【発明の開示】
【発明が解決しようとする課題】
【００１１】
スウェーデン９７０００５４−１号特許明細書に記載のシステムは、多くの欠点を有している。例えば、係員が、ユニットのキーパッドを介して行うことが必要とされる入力の数を少なくできることが望ましい。データの読取り及び入力の双方が必要である管理ユニットの取扱いを簡略化することも望ましい。ユニットの取扱いは、係員がいわゆる三本指手袋をしばしばはめる冬には、特に難しい。
【００１２】
本発明は、これらの問題を解決する。
【課題を解決するための手段】
【００１３】
したがって、本発明は、車両駐車を開始及び終了するために携帯電話を使用することができ、駐車期間を開始するとき及び終了するとき、使用者が携帯電話又は固定電話システムを介して少なくとも１つの使用者特有のコードを車両駐車システムの受信側コンピュータに送り、駐車期間の開始時に、当該パーキング・ゾーンの識別が駐車システムに送られ、前記システム中の前記コンピュータ内に車両特有のコードが記憶され、前記コードは前記使用者特有のコードに関連付けられ、当該ゾーンで駐車期間を開始したが、まだ終了していない車両、つまり、前記システムにログインされている車両の識別に関する情報を取り出すために、前記コンピュータと無線通信を行うように管理ユニットが設けられている、駐車車両を管理する方法であって、管理ユニットが前記コンピュータに接続された受信電話装置に、前記係員からの車両登録番号を含む音声メッセージを送る携帯電話を備え、前記コンピュータがこの登録番号をログインされた車両登録番号と比較し、コンピュータが携帯電話に、音声メッセージを送るようにされ、その音声メッセージの中でコンピュータが理解した登録番号を携帯電話が繰り返し、そのメッセージが、前記車両がログインされているか否かに関する情報を含むことを特徴とする、駐車車両を管理する方法に関する。
【００１４】
次いで、例示的な一実施例が示された添付図面を部分的に参照して、本発明をより詳しく説明する。図面中、図１は本発明の一方法を示すブロック図である。
【実施例】
【００１５】
本発明は、車両駐車を開始するため及び終了するために、また使用者特有のコードを駐車システムに属する受信コンピュータに送るために携帯電話が使用され得る車両駐車管理方法に関する。報告している車両が駐車するゾーンの識別は、駐車が始まるときに駐車システムに送られる。車両特有のコードは、コンピュータに記憶され、使用者特有のコードに関連付けられる。
【００１６】
管理は、当該ゾーンで駐車期間を開始したが、まだ終了していない車両、つまりシステムにまだログインされている車両の識別に関する情報を取り出すために前記コンピュータと無線通信できるようにされている管理ユニットを用いて実施される。
【００１７】
本発明によれば、管理ユニットは、前記コンピュータ３に接続された受信電話装置２に、車両登録番号を含む、前記係員からの音声メッセージを送る携帯電話１を含む。コンピュータ３は、前記登録番号と、ログインされている車両の登録番号を比較するようになされている。コンピュータ３はまた、音声メッセージを携帯電話１に送るようになされており、当該音声メッセージはその中でコンピュータ３によって理解された登録番号が携帯電話１に繰り返され、前記車両がログインされているか否かに関する情報を含む。
【００１８】
コンピュータ３が異なる登録番号を与えた場合は、駐車場係員は、前に与えた番号を繰り返し、コンピュータは最後に与えられた番号を繰り返す。
【００１９】
このような繰り返しにより、係員によって与えられた番号をコンピュータが誤解釈し、結果として間違った罰金がもたらされるリスクを無くすことができる。
【００２０】
コンピュータ３を、音声メッセージを係員に送るようにプログラムすることも好ましく、当該メッセージの中で当該車両がログインされているゾーンの識別が与えられる。
【００２１】
コンピュータ３はまた、好都合にはデータベース４に接続され、データベース４は、互いに関連付けされている車両特有のコード、システム使用者の電話番号、及び支払いに関するデータを含む。
【００２２】
データベース４は、車両の製造会社、型式、色を含むこともできる。こうすると、コンピュータ３は、車両の登録番号を繰り返したあと、音声メッセージを介して、例えば車両の製造会社及び色を知らせることができる。さらに、ある車両が盗まれたものであることを知るための情報をコンピュータ３に与えることもできる。駐車場係員が、盗難車の登録番号を報告した場合、コンピュータ３は音声メッセージを介してこの事実を係員に知らせることができる。
【００２３】
駐車期間の開始時に当該駐車ゾーンを与えることができるように、各駐車ゾーンに、例えば、使用者を駐車システムのコンピュータに接続する電話番号からなる一義的な番号を与えることができる。各ゾーンは、標準駐車用及び住宅駐車用の番号を有することができる。別のシステムも考えることができる。例えば、使用者が、自分の電話で、駐車システム・コンピュータにつながる番号に、次いで駐車ゾーン特有の番号に電話をするシステムである。
【００２４】
駐車ゾーンの特有の番号は、例えば、コインあるいはクレジット・カードによる支払用のパーキング・メータに関連する標識上で適切に表示される。
【００２５】
駐車を終わろうとするとき、使用者はコンピュータ３に再度電話をかけ、コンピュータは電話番号を検知する。コンピュータはデータベースをスキャンし、それにより、駐車が前に開始されたことが明らかにされる。
【００２６】
コンピュータ３は、車両が駐車した時間、当該駐車のゾーン及び種類に基づいて駐車料金を計算する。前記コンピュータは、次いで、利用者の電話番号と関連付けられたクレジット・カードに料金を関連付け、その後クレジット会社が、カードの持主つまり利用者に請求を行う。
【００２７】
電話駐車システムに含まれている車両は、駐車場係員が、車両を機械的にチェックできるか否かを容易に知ることができるように、好都合にはステッカ又は同等のものを備えられる。
【００２８】
本発明の好ましい実施例によれば、受信電話装置２は、駐車場係員が携帯電話１に話した登録番号を解釈するように機能する音声解釈装置を含む。
【００２９】
各駐車場係員の携帯電話１が、一義的な電話番号を有しており、この番号が電話装置２によって検出され、駐車場係員から送られるメッセージと共にコンピュータ３に記憶されることが好ましい。
【００３０】
また、音声解釈装置が、各駐車場係員の音声を認知し識別できることが好ましい。
【００３１】
コンピュータが、駐車場係員に携帯電話を介して、車両がログインされていないことを知らせた場合には、係員が、電話１のキーパッドを介した適切な入力、又は適切な音声メッセージによりコンピュータ３に確認メッセージを送信できることが好ましい。
【００３２】
このような確認は、コンピュータが、罰金を科すべき車両を、適当な当局に転送するためにリスト５から抜粋することを可能とする。現行の規則及び規定が許せば、駐車罰金を印刷して発送するため、あるいはコンピュータ３内で使用者及び車両が関連付けられた口座番号から罰金額を引き落とすようにコンピュータをプログラムできる。
【００３３】
多くの駐車ゾーンでは、車両が支払いをせずに駐車しても、所定の期間を超えなければその車両は不正駐車とはみなされない。車両が無料で駐車できる時間制限は、通常１０分である。
【００３４】
与えられた所定時間が経過した後に関連の駐車ゾーンで車両が不正に駐車したと判断すると、コンピュータは、その車両の登録番号を、駐車場係員がその登録番号を報告してきた時刻と共に記憶し、その車両がその後まだ駐車したままである場合、駐車場係員は、再度その車両番号を報告し、コンピュータはその車両がログインされているか否か音声メッセージを送る。
【００３５】
携帯電話１とコンピュータ３との間の情報の伝送８は、適切な携帯電話システム又は通信システムを介して行われる。このようなシステムは、固定電話回路網７に接続された基地局６を含む。
【００３６】
本発明が、前述の問題を解決することは明らかであろう。本発明により、駐車システム・コンピュータに常時接続されている駐車場係員は、街路に沿って歩き、車両を通り過ぎる際に登録番号を報告し、その車両がログインされているか否かに関する情報を直ちに受け取ることができ、その後駐車場係員は、必要な処置をとる。
【００３７】
本発明を、多くの例示的実施例に関して説明したが、管理ユニットとシステム・コンピュータの間の通信における情報に関して、このシステムを修正できることが理解されるであろう。
【００３８】
したがって、本発明は、前述の実施例に限られたものではなく、以下の特許請求の範囲内で変更され得ることが理解されよう。
【図面の簡単な説明】
【００３９】
【図１】本発明の一方法を示すブロック図である。
【図１】
2005516316.tif 000003
【手続補正書】
【提出日】平成16年1月22日(2004.1.22)
【手続補正１】
【補正対象書類名】特許請求の範囲
【補正対象項目名】全文
【補正方法】変更
【補正の内容】
【特許請求の範囲】
【請求項１】
車両駐車を開始及び終了するために携帯電話を使用することができ、駐車期間を開始するとき及び終了するとき、使用者が携帯電話システム又は固定電話システムを介して少なくとも１つの使用者特有のコードを駐車システムに属する受信側コンピュータ（３）に送り、駐車期間の開始時に、当該パーキング・ゾーンの識別が前記駐車システムに送られ、前記システム中の前記コンピュータ（３）内に車両特有のコードが記憶され、前記コードは前記使用者特有のコードに関連付けられ、当該ゾーンで駐車期間を開始したが、まだ終了していない車両、つまり前記駐車システムにログインされている車両の識別に関する情報を取り出すために前記コンピュータと無線通信を行うように管理ユニットが設けられ、管理ユニットが、駐車場係員からの音声メッセージを前記駐車場システムに伝送することができる、駐車車両を管理する方法であって、前記管理ユニットが、前記コンピュータ（３）に接続された受信電話装置（２）に前記係員からの車両登録番号を含む音声メッセージを送る携帯電話（１）を備え、前記コンピュータ（３）が、この登録番号をログインされた車両の前記登録番号と比較し、前記コンピュータ（３）が、前記携帯電話（１）に音声メッセージを送るようにされ、その音声メッセージの中でコンピュータ（３）が理解した前記登録番号を前記携帯電話（１）が繰り返し、そのメッセージが、前記車両がログインされているか否かに関する情報を含み、前記駐車場係員の前記携帯電話の前記一義的な電話番号が前記コンピュータ（３）内で検知され、そこに記憶されることを特徴とする、駐車車両を管理する方法。
【請求項２】
前記コンピュータ（３）が、前記車両がログインしている駐車ゾーンを同様に前記音声メッセージを介して前記駐車場係員に通知するように構成されていることを特徴とする請求項１に記載の方法。
【請求項３】
車両が、与えられた所定の長さの時間が経過するまでは、関連の駐車ゾーンにおいて不正駐車とみなされない場合には、コンピュータ（３）は、前記車両の前記登録番号を、前記駐車場係員が前記登録番号を報告した時刻と共に記憶するようにされ、後刻、前記車両がなお駐車している場合には、前記駐車場係員は再度前記登録番号を報告し、コンピュータ（３）は音声メッセージで前記車両がログインされているか否かを報告することを特徴とする請求項２に記載の方法。
【請求項４】
前記受信電話装置（２）が、前記駐車場係員が前記携帯電話（１）に話した前記車両登録番号を解釈するように機能する音声解釈装置を含むことを特徴とする請求項１、２又は３に記載の方法。
【請求項５】
各駐車場係員の前記携帯電話（１）が、一義的な電話番号を有しており、この番号が前記電話装置によって検知され、前記駐車場係員によって送られたメッセージと共に前記コンピュータ（３）に記憶されることを特徴とする請求項１、２、３又は４に記載の方法。
【請求項６】
前記音声解釈装置が、各駐車場係員の前記音声を認知し識別できることを特徴とする、請求項１、２、３、４又は５に記載の方法。
【請求項７】
前記コンピュータが、前記駐車場係員に、前記携帯電話を介して、車両がログインされていないことを通知した場合に、前記係員は、前記携帯電話のキーパッドを介する適切な入力により、又は、適切な音声メッセージにより、前記コンピュータに確認メッセージを送ることができることを特徴とする、前記請求項のいずれか一項に記載の方法。
【国際調査報告】
2005516316.tif 000004
2005516316.tif 000005